(57)【要約】信号経路（２５）に対する接地基準の駆動方法、信号経路（２５）上の接地基準を駆動する制御回路（２０）、及び携帯機器（１）が、説明されている。
2012501128.tif 000002
【特許請求の範囲】
【請求項１】
音声信号の接地基準経路（ground reference path）、及びアンテナ信号の入力信号経路として機能する信号経路（２５）上の接地基準（ground reference）を駆動するための方法であって、
前記信号経路（２５）の信号を検出するステップと、
前記信号経路（２５）の検出された前記信号と接地信号（２４）との間の差に対応する差分信号を発生するステップと、
前記音声信号の前記接地基準を駆動するために前記差分信号を前記信号経路（２５）へ供給するステップと、
を含む方法。
【請求項２】
前記差分信号を前記信号経路（２５）へ供給するステップは、前記差分信号の低域フィルタリングを含む、請求項１に記載の方法。
【請求項３】
前記低域フィルタリングは、抵抗器（Ｒ２）及び誘導子（inductivity）（Ｂ４）を介して前記差分信号を前記信号経路（２５）へ供給することを含む、請求項２に記載の方法。
【請求項４】
前記低域フィルタリングは、抵抗器（Ｒ２）及びコンデンサ（Ｃ１）を介して前記差分信号を接地へ供給することを含む、請求項２又は３に記載の方法。
【請求項５】
前記差分信号を発生するステップは、正入力（positive input）が接地（２４）に接続され、及び負入力（negative input）が前記検出された信号に接続された演算増幅器（２６）によって、前記接地信号（２４）から前記検出された信号を差し引くことを含む、請求項１〜４のいずれか１項に記載の方法。
【請求項６】
前記信号経路（２５）の信号を検出するステップは、抵抗器（Ｒ１）および／またはコンデンサを介して、前記演算増幅器（２６）の負入力へ信号経路（２５）を接続することを含む、請求項５に記載の方法。
【請求項７】
前記アンテナ信号を供給するために、前記検出された信号の高域フィルタリングを更に含む、請求項１〜６のいずれか１項に記載の方法。
【請求項８】
前記音声信号は、マイクロフォン（６）からの音声入力信号を含む、請求項１〜７のいずれか１項に記載の方法。
【請求項９】
前記音声信号は、拡声器（４、５）への音声出力信号を含む、請求項１〜８のいずれか１項に記載の方法。
【請求項１０】
前記音声信号は、マイクロフォン（６）からの音声入力信号、及びステレオヘッドホン（２）の２つの拡声器（４、５）への２つの音声出力信号の３つの音声信号を含む、請求項１に記載の方法。
【請求項１１】
音声信号の接地基準経路、及びアンテナ信号の入力信号経路として機能する信号経路（２５）上の接地基準を駆動するための制御回路であって、
前記制御回路（２０）は、
信号経路（２５）の信号を受信する信号端子（２１）と、
接地信号（ground signal）（２４）を受信する接地端子（２３）と、を含み、
前記制御回路（２０）は、前記信号経路（２５）の信号を検出し、前記信号経路（２５）の前記検出された信号と前記接地信号（２４）との間の差に対応する差分信号を発生し、前記音声信号の前記接地基準を駆動するために前記差分信号を前記信号経路（２５）へ供給するように構成されている、制御回路。
【請求項１２】
前記制御回路（２０）は、前記信号経路（２５）に前記差分信号を供給する抵抗器（Ｒ２）及び誘導子（inductivity）（Ｂ４）を含む、請求項１１に記載の制御回路。
【請求項１３】
前記制御回路（２０）は、前記差分信号を前記抵抗器（Ｒ２）及びコンデンサ（Ｃ１）を介して接地に供給するコンデンサ（Ｃ１）を含む、請求項１２に記載の制御回路。
【請求項１４】
前記制御回路（２０）は、前記差分信号を発生する演算増幅器（２６）を含み、
前記演算増幅器（２６）は、正入力が前記接地信号（２４）に接続され、及び負入力が前記検出された信号に接続されている、請求項１１〜１３のいずれか１項に記載の制御回路。
【請求項１５】
前記制御回路（２０）は、前記信号経路（２５）の前記信号を検出する抵抗器（Ｒ１）を含み、
前記抵抗器（Ｒ１）は、前記信号経路（２５）を前記演算増幅器（２６）の前記負入力に接続する、請求項１４に記載の制御回路。
【請求項１６】
前記アンテナ信号を出力する無線周波数出力端子（２２）と、
信号経路（２５）のアンテナ信号を前記無線周波数出力端子（２２）で供給するために、前記信号端子（２１）と前記無線周波数出力端子（２２）を接続するコンデンサ（Ｃ２）と、を更に含む、請求項１１〜１５のいずれか１項に記載の制御回路。
【請求項１７】
前記音声信号は、マイクロフォン（６）からの音声入力信号を含む、請求項１１〜１６のいずれか１項に記載の制御回路。
【請求項１８】
前記音声信号は、拡声器（４、５）への音声出力信号を含む、請求項１１〜１７のいずれか１項に記載の制御回路。
【請求項１９】
前記音声信号は、マイクロフォン（６）からの音声入力信号、及びステレオヘッドホン（２）の２つの拡声器（４、５）への２つの音声出力信号の３つの音声信号を含む、請求項１１〜１８のいずれか１項に記載の制御回路。
【請求項２０】
音声装置（２）及び無線周波数アンテナ（７）を携帯機器（１）に接続するためのコネクタ（３）であって、前記携帯機器（１）の音声信号を受信する音声ポート（１２〜１４）と、前記音声信号の接地基準経路及び前記無線周波数アンテナ（７）のアンテナ信号の入力信号経路として共通に用いられている信号経路（２５）に接続されている共通ポート（１１）と、を含むコネクタ（３）と、
前記信号経路（２５）上の前記音声信号のために接地基準を駆動する制御回路（２０）と、を含み、
前記制御回路（２０）は、
前記信号経路（２５）の信号を受信するために前記共通ポート（１１）に接続されている信号端子（２１）と、
接地信号（２４）を受信する接地端子（２３）と、を含み、
前記制御回路（２０）は、前記信号経路（２５）の前記信号を検出し、検出された前記信号と前記接地信号（２４）との間の差に対応する差分信号を発生し、前記差分信号を前記信号経路（２５）へ供給するように構成されている、携帯機器。
【請求項２１】
請求項１１〜１９のいずれかに係る前記制御回路（２０）を含む、請求項２０に記載の携帯機器。
【請求項２２】
前記制御回路（２０）は、前記アンテナ信号を出力する無線周波数出力端子（２２）と、前記信号経路（２５）の前記アンテナ信号を前記無線周波数出力端子（２２）で供給するために、前記信号端子（２１）と前記無線周波数出力端子（２２）を接続するコンデンサ（Ｃ２）と、を含む、請求項２０又は２１に記載の携帯機器。
【請求項２３】
前記携帯機器（１）は、前記無線周波数出力端子（２２）に接続されている無線周波数受信機（１８）を更に含む、請求項２０〜２２のいずれか１項に記載の携帯機器。
【請求項２４】
前記無線周波数受信機（１８）は、前記ＶＨＦ伝送帯域において周波数変調された無線周波数信号を受信するように構成される、請求項２３に記載の携帯機器。
【請求項２５】
前記音声ポート（１２〜１４）は、
第１の拡声器（４）を前記携帯機器（１）に接続するために第１の音声出力信号を受信する第１の音声ポート（１２）と、
第２の拡声器（５）を前記携帯機器（１）に接続するために第２の音声出力信号を受信する第２の音声ポート（１３）と、
マイクロフォン（６）を前記携帯機器（１）に接続するために音声入力信号を受信する第３の音声ポート（１４）を含む、請求項２０〜２４のいずれか１項に記載の携帯機器。
【請求項２６】
前記携帯機器（１）は、携帯電話、パーソナル・デジタル・アシスタント、及び携帯端末機を含む群から選択された装置である、請求項２０〜２５のいずれか１項に記載の携帯機器。
【発明の詳細な説明】
【技術分野】
【０００１】
【背景技術】
【０００２】
本発明は、信号経路上の接地基準（ground reference）の駆動方法、信号経路上の接地基準を駆動する制御回路、及び携帯機器に関する。
【発明の概要】
【０００３】
本発明の実施形態によれば、信号経路上の接地基準（ground reference）を駆動するための方法が提供される。信号経路は、音声信号の接地基準経路（ground reference path）として、またアンテナ信号の入力信号経路として用いられる。方法によれば、信号経路の信号は検出され、それから、信号経路の検出された信号と接地信号との間の差に対応する差分信号が、発生される。差分信号は信号経路へ供給され、それ故に音声信号の接地基準を駆動する。
【０００４】
特に携帯機器、例えば携帯電話又はパーソナル・デジタル・アシスタント（ＰＤＡ）の分野において、携帯機器と、外部アンテナ又は外部マイクロフォン又は外部ヘッドセットの間の接続は、いわゆるマルチポート・コネクタによって提供される。小さく、コスト効率の良いマルチポート・コネクタのデザインの達成のためマルチポート・コネクタのポート数を減らすために、マルチポート・コネクタは、例えば４つのポート、すなわち、２つの音声信号をステレオヘッドセットの２つの拡声器に出力する２つのポートと、マイクロフォンの音声信号を入力する１つのポートと、２つの出力信号及び入力信号の信号帰路、例えば信号接地を提供し、また、配線で提供されたアンテナから、マイクロフォン又はステレオヘッドセットへのアンテナ信号の信号経路を提供する１つのポートと、を含みうる。アンテナ信号のために、信号帰路のための後者のポートは、音声信号の帰路の提供が好ましいにように、接地に直接に接続できない。しかし、本発明の前述した方法によって発生された差分信号を供給することで、音声信号の接地基準としての信号が信号経路上に供給される。従って、高品質の音声信号が供給され、そして、ステレオヘッドセット、マイクロフォン、アンテナを含む前記した構成の場合には、ステレオヘッドセットへの音声出力信号間の漏話と、マイクロフォンの任意の出力信号と入力信号の間の漏話は、アンテナ信号に影響を及ぼさずに、弱められ、または完全に中止されうる。
【０００５】
実施形態によれば、差分信号を信号経路へ供給するステップは、差分信号の低域フィルタリングを含む。低域フィルタリングは、一連の抵抗器及び誘導子（inductivity）の接続を介して差分信号を信号経路へ供給することで、実現されうる。低域フィルタリングは、さらに、抵抗器及びコンデンサを介して差分信号を接地へ供給することを含みうる。従って、差分信号に含まれるアンテナ信号の高周波数信号は、誘導子によってブロックされ、コンデンサを介して接地へ近道されうる。これゆえ、信号経路に供給された差分信号は、アンテナ信号に支障を与えずに、音声信号のみの接地基準を供給する。
【０００６】
実施形態によれば、前記差分信号を発生するステップは、演算増幅器によって、接地信号から前記検出された信号を差し引くことを含む。演算増幅器は、正入力（positive input）が接地に接続され、負入力（negative input）が前記検出された信号に接続されている。前記検出された信号は、信号経路を演算増幅器の負入力に接続する高抵抗の直列抵抗器、および／または誘電器を介して、信号経路上の信号から取り出される。差分信号を発生する演算増幅器、及び高抵抗の直列抵抗器を用いることで、演算増幅器の入力の高インピーダンスに起因して信号経路の信号に影響を及ぼさずに、信号経路の信号が検出されうる。さらに、演算増幅器は、演算増幅器の周波数依存の伝達関数に起因して、信号経路の信号の低域フィルタリングを提供する。この動作は、演算増幅器の負入力と演算増幅器の出力との間のフィードバック・コンデンサによって、さらに向上されうる。
【０００７】
実施形態によれば、前記方法は、さらに、前記アンテナ信号を供給するために、前記検出された信号の高域フィルタリングを更に含む。アンテナ信号は、無線受信機に供給されうる。高域フィルタリングは、信号経路をコンデンサを介して無線受信機に接続することで実現されうる。高域フィルタリング、例えばコンデンサは、信号経路に供給された差分信号をブロックするので、無線受信機は、接地基準を駆動する差分信号の外乱無しに、アンテナ信号を受信できる。
【０００８】
本発明の実施形態によれば、信号経路上の接地基準を駆動する制御部が提供される。信号経路は、音声信号の接地基準経路として、またアンテナ信号の入力信号経路として用いられる。制御回路は、信号経路の信号を受信する信号端子と、接地信号を受信する接地端子と、を含む。制御回路は、信号経路の信号を検出し、信号経路の前記検出された信号と接地信号との間の差に対応する差分信号を発生し、差分信号を信号経路へ供給するように構成されている。従って、音声信号の接地基準が、信号経路上の差分信号によって供給される。
【０００９】
音声信号は、マイクロフォンからの音声入力信号、および／または拡声器への音声出力信号を含みうる。実施形態によれば、音声信号は、３つの音声信号、すなわち、ステレオヘッドセットのマイクロフォンからの１つの音声入力信号と、２つの拡声器への２つの音声出力信号とを含む。
【００１０】
上述した制御回路は、信号経路上のアンテナ信号に支障を与えずに、音声信号の信号経路上の接地基準を供給する。従って、音声信号間の漏話は、確実に縮小し、または中止されうる。
【００１１】
実施形態によれば、制御回路は、信号経路に差分信号を供給する抵抗器及び誘導子を含む。さらに、制御回路は、差分信号を抵抗器及びコンデンサを介して接地に供給するコンデンサを含みうる。抵抗器及び誘電率は、差分信号の高周波数信号をブロックし、コンデンサは、差分信号の高周波数信号を接地に近道させる。従って、高周波数信号の確実なフィルタリングが達成され、このため、高周波数のアンテナ信号に支障を与えずに、信号経路に供給される差分信号は、音声信号の接地基準を供給する。
【００１２】
実施形態によれば、制御回路は、差分信号を発生する演算増幅器を含む。演算増幅器は、演算増幅器の正入力が接地信号に接続され、演算増幅器の負入力が信号経路の前記検出された信号に接続されている。信号経路の信号の検出は、信号経路を抵抗器および／または誘導子を介して演算増幅器の負入力に接続することで、達成されうる。演算増幅器及び抵抗器の高入力インピーダンスに起因して、信号経路の信号は、この信号を検出するときに、支障を受けない。従って、信号経路の信号に含まれるアンテナ信号は、制御回路によって影響を受けない。
【００１３】
実施形態によれば、制御回路は、さらに、アンテナ信号を出力する無線周波数出力端子と、信号経路と無線周波数出力端子を接続するコンデンサとを含む。コンデンサは、高域フィルタとして作用し、無線周波数出力端子で信号経路のアンテナ信号を供給する。さらに、コンデンサは、信号経路の接地基準が無線周波数出力端子で出力されることをブロックする。従って、制御回路は、信号経路の接地基準から分離したアンテナ信号を出力するように構成されている。
【００１４】
本発明の他の実施形態によれば、携帯機器が提供される。携帯機器は、音声装置及び無線周波数アンテナを携帯機器に接続するためのコネクタを含む。コネクタは、携帯機器の音声信号を受信する音声ポートと、音声信号の接地基準経路及び無線周波数アンテナのアンテナ信号の入力信号経路として共通に用いられている信号経路に接続されている共通ポートと、を含む。携帯機器は、さらに、信号経路上の接地基準を駆動する制御回路を含む。制御御回路は、信号経路の信号を受信するために共通ポートに接続されている信号端子と、接地信号を受信する接地端子と、を含む。制御回路は、信号経路の信号を検出し、検出された信号と接地信号との間の差に対応する差分信号を発生し、差分信号を信号経路へ供給するように構成されている。差分信号は、それゆえ、音声経路の接地基準を駆動している。
【００１５】
音声信号は、マイクロフォンからの音声入力信号、および／または拡声器への音声出力信号を含みうる。携帯機器のコネクタは、３つの分離した音声ポート、すなわち、第１の音声出力信号に接続された第１の音声ポートと、第２の音声出力信号に接続された第２の音声ポートと、マイクロフォンを携帯機器に接続するための音声入力信号に接続された第３の音声ポートと、を含みうる。第１の音声出力信号及び第２の音声出力信号は、第１の音声ポート、第２の音声ポート、及び共通ポートに接続されたステレオヘッドセットの２つの分離した拡声器に音声信号を供給するように構成されうる。音声入力信号は、第３の音声ポートと共通ポートを介して携帯機器に接続されたマイクロフォンの音声入力信号でありうる。
【００１６】
上述した携帯機器で、制御回路は、信号経路のアンテナ信号が影響を受けないように、信号経路上の接地基準を駆動する。拡声器及びマイクロフォンの音声信号の接地基準は、音声出力信号間の漏話、及び任意の音声出力信号と音声入力信号間の漏話が、縮小し、又はキャンセルされるように、供給される。従って、４つのポート、すなわち３つの音声ポート及び共通ポートのみを有し、とっても小さく、コスト効率の良いマルチポート・コネクタを用いることで、アンテナ、マイクロフォン、及びステレオヘッドセットの接続が、達成されうる。
【００１７】
実施形態によれば、携帯機器の制御回路は、信号経路に差分信号を供給する抵抗器及び誘導子を含む。さらに、制御回路は、差分信号を抵抗器及びコンデンサを介して接地に供給するコンデンサを含みうる。このように、差分信号に含まれる高周波数信号、例えばアンテナ信号の遮断は、誘導子によって信号経路に供給されることをブロックし、コンデンサによって接地に近道される。従って、信号経路に供給される差分信号は、信号経路のアンテナ信号に影響を与えず、または支障を与えない。
【００１８】
実施形態によれば、携帯機器の制御回路は、差分信号を発生する演算増幅器を含む。演算増幅器は、演算増幅器の正入力が接地信号に接続され、演算増幅器の負入力が信号経路で検出された信号に接続されている。信号経路の信号の検出は、信号経路を抵抗器および／または誘導子を介して演算増幅器の負入力に接続することで、達成されうる。演算増幅器及び抵抗器、例えば１０ＫΩの高抵抗の抵抗器を使用することで、演算増幅器の入力インピーダンスがとっても高いので、経路信号の信号検出に起因して信号経路の支障は回避される。従って、信号経路のアンテナ信号は、影響を受けない。
【００１９】
実施形態によれば、携帯機器の制御回路は、アンテナ信号を出力する無線周波数出力端子を含む。さらに、制御回路は、信号端子と無線周波数出力端子を接続するコンデンサを含む。コンデンサは、アンテナ信号を信号経路から無線周波数出力端子へ通過させ、同時に信号経路の接地基準をブロックする高域フィルタとして作用している。携帯機器は、さらに、無線周波数出力端子に接続された無線周波数受信機を含む。無線周波数受信機は、超短波（ＶＨＦ）伝送帯域において周波数変調された（ＦＭ）無線周波数信号を受信するように構成されうる。この実施形態において、制御回路は、無線周波数受信機に信号経路からのアンテナ信号を供給し、同時に、ステレオヘッドセットのマイクロフォン及び拡声器の音声信号のための信号経路上の接地基準を供給する。
【００２０】
実施形態によれば、携帯機器は、携帯電話、パーソナル・デジタル・アシスタント（ＰＤＡ）、および／または携帯端末機でありうる。
【図面の簡単な説明】
【００２１】
以下において、本発明の実施形態の例は、図面を参照して説明される。
【図１】本発明の実施形態に係る携帯機器の一部概略図を示す。
【図２】本発明の他の実施形態に係る携帯機器の一部概略図を示す。
【発明を実施するための形態】
【００２２】
以下において、本発明の実施形態の例は詳細に説明される。当然のことながら、以下の説明は、本発明の原理を示すためだけになされ、限定した要旨に理解されるものではない。むしろ、本発明の範囲は、以下の特許請求の範囲によってのみ定義され、以下の実施形態の例によって限定されることを意図しない。
【００２３】
また、当然のことながら、以下の実施形態の例の詳細な説明において、図やここの説明で示される機能ブロック、装置、構成要素、又は他の物理的又は機能部の間の直接的な接続や結合は、間接的な接続や結合によっても実施される。
【００２４】
さらに、当然のことながら、ここで説明される様々な実施形態の例の特徴は、明確に他に断りのない限り、互いに結合されうる。
【００２５】
図１は、マルチポート・コネクタ３を介して携帯ハンズフリーセット２に接続されている携帯機器１の実施形態を示す。携帯ハンズフリーセット２は、携帯ハンズフリーセット２のユーザにステレオ音声信号を再生する２つのイヤースピーカ（earspeaker）又は拡声器４、５と、音声信号、例えば発話を受信するマイクロフォン６と、拡声器４、５及びマイクロフォン６をマルチポート・コネクタ３に接続する配線７〜１０と、を含む。
【００２６】
マルチポート・コネクタ３は、例えば、携帯ハンズフリーセット２から携帯機器１へ電気的接続を供給するための４つのポート１１−１４を含む。図１に示すように、ポート１２は配線８を介して拡声器４の第１の端子に接続され、ポート１３は配線９を介して拡声器５の第１の端子に接続され、ポート１４は配線１０を介してマイクロフォン６の第１の端子に接続されている。拡声器４の第２の端子、拡声器５の第２の端子、及びマイクロフォン６の第２の端子は、共に配線７を介して共通ポート１１に接続されている。配線７は、また、例えば超短波（ＶＨＦ）帯域にて周波数変調された（ＦＭ）放送無線信号を受信するためのアンテナとして機能する。
【００２７】
携帯機器１は、図１に示すように、ビーズ（bead）Ｂ１、Ｂ２を介してイヤースピーカ又は拡声器４、５を駆動するように構成される２つのイヤースピーカ増幅器１５、１６を含む。携帯機器１は、さらに、ビーズＢ３を介してマイクロフォン６からの信号を受信し、増幅するように構成されるマイクロフォン増幅器１７を含む。ビーズＢ１−Ｂ３は、フェライトビーズであり、ＦＭアンテナを分離し、増幅器１５−１７を電流固定（current clamp）から保護するために用いられうる。電流固定は、携帯機器の一種の承認試験の間、マルチポート・コネクタ３のポート１１−１４に加えられる試験信号である。電流固定信号は、ポート１１−１４上の振幅変調（ＡＭ）外乱信号（disturbance signal）を導入する。ビーズは、高周波数で非常に高い抵抗、例えば１００ＭＨｚで１．８ＫΩと、低周波数で低抵抗、例えば１０ＭＨｚで１００Ω及び１００ＫＨｚで１Ωを提供し、この結果、携帯端末１を高周波数の電流固定信号から保護する。
【００２８】
携帯機器１は、また、アンテナ入力（antenna input）１９を有するＦＭ無線受信機１８を含む。さらに、携帯機器１は、マルチポート・コネクタのポート１１に接続された信号経路２５の信号を受信する信号端子２１と、携帯機器１の接地信号２４を受信する接地端子２３とを有する制御回路２０を含む。また、制御回路は、ＦＭ無線受信機１８のアンテナ入力１９に接続された無線周波数出力端子２２を有する。
【００２９】
上述したように、信号経路２５は、拡声器４、５及びマイクロフォン６の音声信号の接地基準経路として、また、アンテナ信号の入力信号経路として用いられている。従って、制御回路２０は信号端子２１を介して受信した信号経路２５の信号を検出し、拡声器４、５及びマイクロフォン６の音声信号のために信号経路２５の接地基準を駆動し、加えて、アンテナ信号を信号経路２５から分離し、分離したアンテナ信号を無線周波数出力端子２２でＦＭ無線受信機１８に供給する。
【００３０】
図２に関連して、制御回路２０の機能は、以下でより詳細に説明される。
【００３１】
制御回路２０は、信号経路２５と演算増幅器２６の負入力とを接続する抵抗器Ｒ１を含む。演算増幅器２６の正入力は、携帯機器１の接地信号２４と接続されている。演算増幅器２５の出力は、他の抵抗器Ｒ２の第１の端子と接続されている。抵抗器Ｒ２の第２の端子は、コンデンサＣ１を介して接地信号２４に接続され、また、誘導子Ｂ４を介して信号経路２５に接続されている。最後に、制御回路２０は、信号経路２５と無線周波数出力端子２２を接続する第２のコンデンサＣ２を含む。
【００３２】
演算増幅器２６は、信号経路２５の信号と接地信号とを比較し、演算増幅器２６の出力で差分信号を取り出す。演算増幅器２６は周波数依存の伝達関数を有するので、演算増幅器２６の出力での差分信号は、実質的に、拡声器４、５及びマイクロフォン６の音声信号と、接地信号２４との間の差に対応する差分信号を含む。しかし、演算増幅器２６の出力での差分信号は、アンテナ信号と接地信号２４の間の差に対応する小信号も含みうる。従って、抵抗器Ｒ２、コンデンサＣ１、及び誘導子Ｂ４は、差分信号の高周波数部分を接地に近道させるフィルタを提供し、また、差分信号のこれらの部分のみを、音声信号のため接地基準を駆動する必要がある信号経路２５へ通過させる。結果として、制御回路２０は、信号経路２５のアンテナ信号に影響を及ぼさずに、信号端子２１で拡声器４、５及びマイクロフォン６の音声信号のための接地基準を供給する。信号端子２１で供給される接地基準は、拡声器４、５及びマイクロフォン６の信号間の任意の漏話（crosstalk）を回避する。
【００３３】
さらに、制御回路２０は、高域フィルタ機能をコンデンサＣ２で提供する。コンデンサＣ２は、演算増幅器２６から供給された差分信号を無線周波数出力端子２２からブロックし、信号経路２５からのアンテナ信号を無線周波数出力端子２２へ通過させる。従って、無線周波数出力端子２２で、音声信号、又は演算増幅器２６の差分信号からの外乱が無いアンテナ信号が供給される。
【００３４】
コンデンサＣ１、Ｃ２の値は各々１ｎＦであり、誘導子Ｂ４の値は２７０ｎＨであり、抵抗器Ｒ１の値は１０ｋΩであり、抵抗器Ｒ２の値は１００Ωでありうる。従って、制御回路２０は、マイクロフォン入力電圧に重畳された信号経路２５上のイヤースピーカ反流から繰返し電圧（echo voltage）を拒絶し、アンテナ信号に影響を及ぼさずに、拡声器４、５の音声信号の一般分離（general separation）を少なくとも４０ｄＢまで増加させる。
【図１】
2012501128.tif 000003
【図２】
2012501128.tif 000004
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
音声信号の接地基準経路（ground reference path）、及びアンテナ信号の入力信号経路として機能する信号経路（２５）上の接地基準（ground reference）を駆動するための方法であって、
前記信号経路（２５）の信号を検出するステップと、
前記信号経路（２５）の検出された前記信号と接地信号（２４）との間の差に対応する差分信号を発生するステップと、
前記差分信号を低域フィルタリングするステップと、
前記音声信号の前記接地基準を駆動するために、低域フィルタ処理された前記差分信号を前記信号経路（２５）へ供給するステップと、
を含む方法。
【請求項２】
前記低域フィルタリングは、抵抗器（Ｒ２）及び誘導子（inductivity）（Ｂ４）を介して前記差分信号を前記信号経路（２５）へ供給することを含む、請求項１に記載の方法。
【請求項３】
前記低域フィルタリングは、抵抗器（Ｒ２）及びコンデンサ（Ｃ１）を介して前記差分信号を接地へ供給することを含む、請求項１又は２に記載の方法。
【請求項４】
前記差分信号を発生するステップは、正入力（positive input）が接地（２４）に接続され、及び負入力（negative input）が前記検出された信号に接続された演算増幅器（２６）によって、前記接地信号（２４）から前記検出された信号を差し引くことを含む、請求項１〜３のいずれか１項に記載の方法。
【請求項５】
前記信号経路（２５）の信号を検出するステップは、抵抗器（Ｒ１）および／またはコンデンサを介して、前記演算増幅器（２６）の負入力へ信号経路（２５）を接続することを含む、請求項４に記載の方法。
【請求項６】
前記アンテナ信号を供給するために、前記検出された信号の高域フィルタリングを更に含む、請求項１〜５のいずれか１項に記載の方法。
【請求項７】
前記音声信号は、マイクロフォン（６）からの音声入力信号を含む、請求項１〜６のいずれか１項に記載の方法。
【請求項８】
前記音声信号は、拡声器（４、５）への音声出力信号を含む、請求項１〜７のいずれか１項に記載の方法。
【請求項９】
前記音声信号は、マイクロフォン（６）からの音声入力信号、及びステレオヘッドホン（２）の２つの拡声器（４、５）への２つの音声出力信号の３つの音声信号を含む、請求項１に記載の方法。
【請求項１０】
音声信号の接地基準経路、及びアンテナ信号の入力信号経路として機能する信号経路（２５）上の接地基準を駆動するための制御回路であって、
前記制御回路（２０）は、
信号経路（２５）の信号を受信する信号端子（２１）と、
接地信号（ground signal）（２４）を受信する接地端子（２３）と、を含み、
前記制御回路（２０）は、前記信号経路（２５）の信号を検出し、前記信号経路（２５）の前記検出された信号と前記接地信号（２４）との間の差に対応する差分信号を発生し、前記差分信号を低域フィルタリングし、前記音声信号の前記接地基準を駆動するために低域フィルタ処理された前記差分信号を前記信号経路（２５）へ供給するように構成されている、制御回路。
【請求項１１】
前記制御回路（２０）は、前記差分信号を低域フィルタリングし、前記信号経路（２５）にフィルタ処理された前記差分信号を供給する抵抗器（Ｒ２）及び誘導子（inductivity）（Ｂ４）を含む、請求項１０に記載の制御回路。
【請求項１２】
前記制御回路（２０）は、前記差分信号を前記抵抗器（Ｒ２）及びコンデンサ（Ｃ１）を介して接地に供給するコンデンサ（Ｃ１）を含む、請求項１２に記載の制御回路。
【請求項１３】
前記制御回路（２０）は、前記差分信号を発生する演算増幅器（２６）を含み、
前記演算増幅器（２６）は、正入力が前記接地信号（２４）に接続され、及び負入力が前記検出された信号に接続されている、請求項１０〜１２のいずれか１項に記載の制御回路。
【請求項１４】
前記制御回路（２０）は、前記信号経路（２５）の前記信号を検出する抵抗器（Ｒ１）を含み、
前記抵抗器（Ｒ１）は、前記信号経路（２５）を前記演算増幅器（２６）の前記負入力に接続する、請求項１３に記載の制御回路。
【請求項１５】
前記アンテナ信号を出力する無線周波数出力端子（２２）と、
信号経路（２５）のアンテナ信号を前記無線周波数出力端子（２２）で供給するために、前記信号端子（２１）と前記無線周波数出力端子（２２）を接続するコンデンサ（Ｃ２）と、を更に含む、請求項１０〜１４のいずれか１項に記載の制御回路。
【請求項１６】
前記音声信号は、マイクロフォン（６）からの音声入力信号を含む、請求項１０〜１５のいずれか１項に記載の制御回路。
【請求項１７】
前記音声信号は、拡声器（４、５）への音声出力信号を含む、請求項１０〜１６のいずれか１項に記載の制御回路。
【請求項１８】
前記音声信号は、マイクロフォン（６）からの音声入力信号、及びステレオヘッドホン（２）の２つの拡声器（４、５）への２つの音声出力信号の３つの音声信号を含む、請求項１０〜１７のいずれか１項に記載の制御回路。
【請求項１９】
音声装置（２）及び無線周波数アンテナ（７）を携帯機器（１）に接続するためのコネクタ（３）であって、前記携帯機器（１）の音声信号を受信する音声ポート（１２〜１４）と、前記音声信号の接地基準経路及び前記無線周波数アンテナ（７）のアンテナ信号の入力信号経路として共通に用いられている信号経路（２５）に接続されている共通ポート（１１）と、を含むコネクタ（３）と、
前記信号経路（２５）上の前記音声信号のために接地基準を駆動する制御回路（２０）と、を含み、
前記制御回路（２０）は、
前記信号経路（２５）の信号を受信するために前記共通ポート（１１）に接続されている信号端子（２１）と、
接地信号（２４）を受信する接地端子（２３）と、を含み、
前記制御回路（２０）は、前記信号経路（２５）の前記信号を検出し、検出された前記信号と前記接地信号（２４）との間の差に対応する差分信号を発生し、前記差分信号を低域フィルタリングし、低域フィルタ処理された前記差分信号を前記信号経路（２５）へ供給するように構成されている、携帯機器。
【請求項２０】
請求項１０〜１８のいずれかに係る前記制御回路（２０）を含む、請求項１９に記載の携帯機器。
【請求項２１】
前記制御回路（２０）は、前記アンテナ信号を出力する無線周波数出力端子（２２）と、前記信号経路（２５）の前記アンテナ信号を前記無線周波数出力端子（２２）で供給するために、前記信号端子（２１）と前記無線周波数出力端子（２２）を接続するコンデンサ（Ｃ２）と、を含む、請求項１９又は２０に記載の携帯機器。
【請求項２２】
前記携帯機器（１）は、前記無線周波数出力端子（２２）に接続されている無線周波数受信機（１８）を更に含む、請求項１９〜２１のいずれか１項に記載の携帯機器。
【請求項２３】
前記無線周波数受信機（１８）は、前記ＶＨＦ伝送帯域において周波数変調された無線周波数信号を受信するように構成される、請求項２２に記載の携帯機器。
【請求項２４】
前記音声ポート（１２〜１４）は、
第１の拡声器（４）を前記携帯機器（１）に接続するために第１の音声出力信号を受信する第１の音声ポート（１２）と、
第２の拡声器（５）を前記携帯機器（１）に接続するために第２の音声出力信号を受信する第２の音声ポート（１３）と、
マイクロフォン（６）を前記携帯機器（１）に接続するために音声入力信号を受信する第３の音声ポート（１４）を含む、請求項１９〜２３のいずれか１項に記載の携帯機器。
【請求項２５】
前記携帯機器（１）は、携帯電話、パーソナル・デジタル・アシスタント、及び携帯端末機を含む群から選択された装置である、請求項１９〜２４のいずれか１項に記載の携帯機器。
【国際調査報告】
2012501128.tif 000005
2012501128.tif 000006
2012501128.tif 000007